(57)【要約】【課題】粉塵、浮遊毛羽、ミストがカメラレンズへ付着を防止し、継続使用しても鮮明な映像を確保する。【解決手段】内部に備えられるカメラレンズ１のレンズ面に対向する位置に設けられる前面部、前面部に対向する位置に設けられる後面部、およびその他の側面部からなり、前面部に開口部２を有し、後面部および／または側面部にエアー吐出口３を有するカメラハウジング１であって、前面部の内接円の径に対し、開口部２の内接円の径が０．９倍以下であり、開口部２の面積に対し、エアー吐出口３の面積が０．１倍以上である。【選択図】図１
2016114635.tif 000002
【特許請求の範囲】
【請求項１】
内部に備えられるカメラレンズのレンズ面に対向する位置に設けられる前面部、前面部に対向する位置に設けられる後面部、およびその他の側面部からなり、前面部に開口部を有し、後面部および／または側面部にエアー吐出口を有するカメラハウジングであって、前面部の内接円の径に対し、開口部の内接円の径が０．９倍以下であり、開口部の面積に対し、エアー吐出口の面積が０．１倍以上であることを特徴とするカメラハウジング。
【請求項２】
エアー吐出口が、側面部の全周にわたって設けられることを特徴とする請求項１に記載のカメラハウジング。
【請求項３】
エアー吐出口が、カメラレンズのレンズ面よりも開口部側に設けられることを特徴とする請求項１または請求項２いずれかに記載のカメラハウジング。
【請求項４】
請求項１から３のいずれか記載のカメラハウジングの内部に備えられるカメラ装置を用いて撮像する撮像方法。
【発明の詳細な説明】
【技術分野】
【０００１】
本発明は、粉塵、浮遊毛羽、ミストが生じる環境下において、粉塵、浮遊毛羽、ミストがカメラレンズへ付着することを防止するカメラハウジングに関する。
【背景技術】
【０００２】
近年、ビデオカメラなどのカメラ装置は様々な用途で使用されている。例えば、家庭用はもとより業務用としても監視の目的で使用されるものや、生産現場においては記録および観察などの目的で使用されているものなど多種多様の用途で使用されている。そして、前記目的のために使用されるカメラ装置の設置場所は、人が近づきがたい高所や狭い場所あるいは人体に悪影響を及ぼすような場所もあるため、一旦設置したカメラ装置はメンテナンスフリーであることが望ましい。一方で、上述のような場所においては、粉塵、浮遊毛羽、ミストなどが飛散している場所も多く、防塵カメラハウジングを用いて、カメラ装置を保護する必要がある。
【０００３】
このため、従来の防塵カメラハウジングとしては、例えば、カメラレンズ前面に開口部を設けると共にカメラハウジング壁面でカメラ後方にエアー吐出口を設け、該エアー吐出口から吐出されたエアーを開口部からカメラハウジング外側へ吐出させることによって、粉塵等がカメラレンズに付着することを防止するものが知られている（特許文献１）。
【０００４】
また、カメラレンズ前面に透明な仕切り板を設けたカメラハウジングと、前記仕切り板の前方に周囲から仕切り板表面に沿ってかつ中心に向かうように構成されたエアーと、前記仕切り板に向かってくる粉塵等を吹き飛ばすように構成されたエアーとを設けたものも知られている（特許文献２）。
【０００５】
また、カメラレンズ前面に透明な仕切り板を設け、透明板の前面に付着した粉塵やミストをワイパー等の装置で清掃するものも知られている（特許文献３）。
【先行技術文献】
【特許文献】
【０００６】
【特許文献１】特開平６−１６７７６０号公報
【特許文献２】特開２００１−１０８８８０号公報
【特許文献３】特開２００６−２３５０６１号公報
【発明の概要】
【発明が解決しようとする課題】
【０００７】
しかしながら、特許文献１の技術では、カメラハウジング壁面でカメラ後方に設けるエアー吐出口からの吐出エアーの流速によりカメラ装置が振動してしまい、カメラ装置で撮影した画像がブレてしまうことが問題となる。一方で、カメラ装置の振動を防止するために吐出エアーの流速を小さくすると、開口部からのカメラハウジング外側へ吐出するエアーの流速が小さくなり、飛散する粉塵やミストがハウジング内部へ流入し、カメラレンズ表面に付着し、鮮明な映像を確保できなくなるばかりか、レンズ内部やカメラ内部にミストが混入し、カメラ装置が故障してしまう場合もあるという問題があった。
【０００８】
さらに、カメラハウジング壁面でカメラ後方に設けるエアー吐出口を、カメラ装置に直接当たらない位置に設けると、開口部における吐出速度に偏りが生じ、吐出流速が速い部分においては、圧力が低くなるため、その部分に対してカメラハウジング外側の粉塵やミストを巻き込む流れが生じ、カメラハウジング内部に流入するという問題もあった。
【０００９】
特許文献２の技術では、仕切り板の前方に周囲から仕切り板壁面に沿ってかつ中心に向かうように構成されたエアーは、仕切り板前方へも進む流れが形成されるため、仕切り板中心においては流速が小さくなると共に、カメラレンズの光軸上でぶつかり合ったエアーが仕切り板前面側から離れて前方側に進むエアーと後方側に戻るエアーとが発生し、後方に進むエアーは周囲に飛散しているミストを巻き込み仕切り板に付着させてしまい、鮮明な映像を確保できなくなり、定期的に仕切り板の清掃を必要とするという問題があった。
【００１０】
特許文献３の技術では、粉塵やミストが透明板に付着した状態で、当該ワイパーを作動させると、かえって透明板が汚れた状態になったり、当該ワイパーを定期的に交換しなければならなかったりするという問題があった。
【００１１】
上記のごとく、従来のカメラハウジングでは、粉塵、浮遊毛羽、ミストが生じる環境下において、粉塵、浮遊毛羽、ミストがカメラレンズもしくは透明な仕切り板に付着してしまい、鮮明な画像が確保できなくなるという問題があった。そこで、本発明の目的は、粉塵、浮遊毛羽、ミストがカメラレンズへ付着することの無く、継続使用しても鮮明な映像を確保することを可能にするカメラハウジングを提供することを目的とする。
【課題を解決するための手段】
【００１２】
上記課題を解決するために、本発明のカメラハウジングは、内部に備えられるカメラレンズのレンズ面に対向する位置に設けられる前面部、前面部に対向する位置に設けられる後面部、およびその他の側面部からなり、前面部に開口部を有し、後面部および／または側面部にエアー吐出口を有するカメラハウジングであって、前面部の内接円の径に対し、開口部の内接円の径が０．９倍以下であり、開口部の面積に対し、エアー吐出口の面積が０．１倍以上であることを特徴とする。
【００１３】
また、本発明の撮像方法は、上記カメラハウジングの内部に備えられるカメラ装置を用いて撮像する撮像方法である。
【発明の効果】
【００１４】
本発明のカメラハウジングにより、粉塵、浮遊毛羽、ミストが生じる環境下においても粉塵、浮遊毛羽、ミストがカメラレンズへ付着することなく、継続してカメラにより鮮明な映像を確保することが可能となる。
【図面の簡単な説明】
【００１５】
【図１】図１は、本発明の第１の実施形態におけるカメラハウジングの概略構成を示す断面図である。
【図２】図２は、図１の正面図である。
【図３】図３は、本発明の第２の実施形態におけるカメラハウジングの概略構造を示す断面図である。
【図４】図４は、図３のＡ−Ａ断面図である。
【図５】図５は、本発明の第３の実施形態におけるカメラハウジングの概略構造を示す断面図である。
【図６】図６は、実施例１にて評価を実施した形態を示す図である。
【図７】図７は、実施例１（１−ａ）の開口部における吐出速度分布図である。
【図８】図８は、実施例３の開口部における吐出速度分布図である。
【図９】図９は、比較例（Ｅ）の開口部における吐出速度分布図である。
【発明を実施するための形態】
【００１６】
以下、図面を参照して本発明の実施形態を詳細に説明する。
【００１７】
＜本発明の第１の実施形態＞
図１、図２は、本発明の一実施形態に係り、図１はカメラハウジング１とカメラハウジング１の内部に備えられるカメラ４およびカメラレンズ５からなるカメラ装置等の概略内部構造を示す断面図、図２は図１における正面図である。
【００１８】
図１に示すように、本発明のカメラハウジング１は、内部に備えられるカメラレンズ５のレンズ面に対向する位置に設けられる前面部、前面部に対向する位置に設けられる後面部、およびその他の側面部からなり、カメラハウジング１の前面部に開口部２を有し、カメラハウジング１の後面部および／または側面部にエアー吐出口３を備える。「カメラハウジング」とは、内部に備えるカメラ装置全体を周囲に飛散している粉塵、浮遊毛羽、ミストなどから保護するためのケースである。
【００１９】
開口部２はカメラハウジング１の前面部に備えられる。また、カメラハウジング１の前面部および開口部２を含む面を「開口部面」とする。さらに、図１に示すように、本発明において、開口部２の厚みはカメラハウジング１の前面部の部材厚みと同じである。
【００２０】
ここで、前面部側から見たカメラハウジング１の形状は、図２に示すように光軸７に関して軸対称な形状が好ましい。開口部２からカメラハウジング１外側へ吐出されるエアー３ｂが、開口部２において吐出速度に偏りがなく、均一な吐出エアーが形成できるためには、カメラハウジング１内部の流路も光軸７に関して軸対象であることが好ましいためである。ここで、光軸７は、図１に示すように、カメラレンズ５の中心を通る直線のことであり、カメラレンズ５の回転対称軸と同一である。
【００２１】
ここで、カメラハウジング１、開口部２、エアー吐出口３の寸法は以下の関係をみたすものである。すなわち、カメラハウジング１前面部の内接円の径に対し、開口部２の内接円の径が０．９倍以下であり、開口部の面積に対し、エアー吐出口の面積が０．１倍以上である。
【００２２】
エアー吐出口３からカメラハウジング１に吐出されるエアー３ａの流量と、開口部２からカメラハウジング１外側へ吐出される吐出エアー３ｂの流量は等しくなるため、開口部２の面積を大きくすると、開口部２における吐出エアー３ｂの流速が小さくなってしまい、カメラハウジング１外部に飛散している粉塵、浮遊毛羽、ミストが開口部２からカメラハウジング１内部へ侵入してしまうことがある。
【００２３】
したがって、開口部２とカメラハウジング１との関係は、図２に示すように、開口部２の内接円の径をＤ、前面部の内接円の径をＬとすると、開口部２においてカメラハウジング１外部に飛散している粉塵、浮遊毛羽、ミストの流入がない、均一な吐出エアー３ｂが得られる範囲は、Ｄ／Ｌ＝０．９以下となる場合である。
【００２４】
ここで、開口部２の形状は、光軸７に対して軸対称なカメラレンズ５の場合であれば、画角の成す領域１４と同じ光軸７を中心とした円形であることが最も好ましい。「画角の成す領域」とは、焦点６を頂点として画角を含む辺を、光軸７を中心に回転させた円錐形の領域を、開口部２面で切った断面の領域のことであり、図２に示すように、光軸７を中心とした円状の範囲となる。
【００２５】
開口部２とエアー吐出口３との関係は、開口部２の面積をＳＯｕｔ、エアー吐出口３の面積をＳｉｎとすると、開口部２において均一な吐出エアーが得られる範囲は、Ｓｉｎ／Ｓｏｕｔ＝０．１倍以上となる場合である。エアー吐出口３の面積が小さく、カメラ装置もしくはカメラハウジング１内壁面に衝突するエアーの流速が１０ｍ／ｓを超える場合、カメラ装置の振動が生じる場合があるため、エアー３ａが１０ｍ／ｓ以下となるようにエアー吐出口３の面積を大きくすることによって、エアー吐出口３からカメラハウジング１に吐出されるエアー３ａの流量を確保しつつ、カメラ装置の振動を抑制することができる。
【００２６】
したがって、カメラハウジング１前面部の内接円の径に対し、開口部２の内接円の径が０．９倍未満であり、開口部２の面積に対し、カメラハウジング１の後面部および／または側面部に設けられたエアー吐出口３の面積が０．１倍以上とすることによって、カメラハウジング１外部に飛散している粉塵、浮遊毛羽、ミストが開口部２からカメラハウジング１内部へ侵入を防止し、かつ、カメラ装置の振動を抑制することができる。
【００２７】
エアー吐出口３については、図１には記載していないポンプやコンプレッサなどのエアー発生手段に配管などを通して接続されている。エアー吐出口３から前記カメラハウジング１の内部に吐出されたエアー３ａは、開口部２からカメラハウジング１の外部へ吐出される。なお、本発明における「エアー」としては、密度一定の空気などが使用できる。
【００２８】
カメラハウジング１の内部には、図１に示すように、カメラ４とカメラレンズ５からなるカメラ装置が固定冶具９を介して固定されており、開口部２を通して、撮影対象の撮像を行う。また、前記カメラ装置に接続されたケーブル１０を介して図示していない画像表示装置と接続されており、前記撮像装置で撮像した信号の取り込みを行う。ここで、ケーブルとは、電源ケーブルおよびカメラ信号ケーブルである。固定冶具９はカメラ装置とカメラハウジングとを固定する部材であり、図１に示す実施形態以外にも、カメラ装置をカメラハウジング後方壁面と固定する形態であっても良い。
【００２９】
＜本発明の第２の実施形態＞
本発明の第２の実施形態は、前述の本発明の第１の実施形態において、エアー吐出口３が、後面部および／または側面部に設けられる代わりに、図３および図４に示すように、カメラハウジング１の側面部の全周にわたって設けられていることを特徴とする。その他の構成は前述の第１の実施形態と同様である。
【００３０】
図３は、本発明の第２の実施形態のカメラハウジング１とカメラハウジング１内部に備えられるカメラ４およびカメラレンズ５からなるカメラ装置等の概略内部構造を示す断面図である。また、図４は、図３におけるＡ−Ａ断面における断面図である。
【００３１】
開口部２において吐出速度の速度差が小さい均一な吐出エアーを形成するためには、カメラハウジング１内部において、光軸７に平行で開口部２を含む開口部面に直角に進む流れが形成されていることが好ましい。そこで、カメラハウジング１の側面部に側面全周にわたって、エアー吐出口３を設けることで、光軸７に対して軸対象なエアー吐出口３から吐出エアー３ｂの流速が一定の流れをカメラハウジング１内部に吐出することができ、前述の本発明の第１の実施形態のようにエアー吐出口３をカメラハウジング１の後面部および／または側面部に備えるのに比べ、より均一な吐出エアーを形成することができる。ここで「全周」とは、実質的に全周に設けられていればよく、部分的に孔が存在しない箇所があってもよい。また、エアー吐出口３をカメラハウジング１の側面部に側面全周にわたって備えることによって、エアー吐出口３の面積を大きく確保することができるため、流量を多くしても、カメラの振動を防止することができる。
【００３２】
エアー吐出口３は、例えば、カメラハウジング１の側面部の全周にわたって設けられるスリット状のものを好ましく採用できる。本発明の形態において、エアー吐出口の流量が０．００８ｍ３／分の条件下では、スリットの幅は２ｍｍ以上が好ましく、特に８ｍｍ〜１８ｍｍの範囲にすることによって、開口部２において吐出速度の速度差がより小さい均一な吐出エアーを形成することができる。スリットの幅が１８ｍｍを超える場合には、カメラハウジングの強度が低下することがある。
【００３３】
＜本発明の第３の実施形態＞
本発明の第３の実施形態は、前述の本発明の第２の実施形態において、エアー吐出口３がカメラレンズ５のレンズ面よりも開口部２側に設けられることを特徴とする。
【００３４】
エアー吐出口３がカメラレンズ５のレンズ面よりも後面部側に備えられる場合、もしくは、カメラレンズ５の側面にエアー吐出口３からの吐出エアー３ｂが当たる位置に備えられる場合、カメラ装置および固定冶具９の形状や材質、取り付け位置に影響されて、開口部２の領域内において、吐出エアー３ｂに流速差が生じることがある。例えば、開口部２の中心付近では吐出エアー３ｂの流速が大きく、中心から半径方向に離れるにつれて流速が小さくなることがある。開口部２の範囲内において、カメラハウジング１の外側に吐出する流れが形成されていても、吐出する流速に差が大きい場合は、吐出流速が大きい部分に渦が生じ、吐出流速が小さい部分からカメラハウジング１内部に流入する流れ場が発生する場合がある。したがって、開口部２の範囲内においては、カメラハウジング１の外側に吐出する流れが形成されており、かつ吐出流速差が小さい方が良い。ここで、「カメラレンズ５の側面」とはカメラレンズのズームリングやフォーカスリングのある部分を示す。
【００３５】
これに対し、エアー吐出口３の位置を、カメラレンズ５のレンズ面よりも開口部２側に設ける態様にすることによって、カメラ装置および固定冶具９の形状や材質、取り付け位置に影響されることがなくなるため、開口部２において、より均一な吐出エアー３ｂを形成することが可能となる。
【００３６】
さらに、エアー吐出口３からの吐出エアー３ａが、カメラレンズ５のレンズ面に沿って光軸７に向かって流れる位置にカメラハウジング１側面部にエアー吐出口３を設けることで、開口部２において、最も均一な吐出エアー３ｂを形成することができる。開口部２における均一な吐出エアー３ｂを形成するためには、光軸７に平行で、かつ、開口部２に直角に進む流れになっていることが好ましい。そのためには、開口部２とエアー吐出口３を設ける面との距離を離して、エアー吐出口３から開口部２に直角に進む流れが形成されるように助走距離を長く確保することで、開口部２において均一な吐出エアー３ｂを得ることができるからである。
【００３７】
上述のように構成されているカメラハウジング１の作用を説明する。
【００３８】
図５に示すように、カメラハウジング１の側面部の全周にわたって設けられたエアー吐出口３からカメラハウジング１内部へ吐出されたエアー３ａは、カメラレンズ４のレンズ面に沿って光軸７に向かって進み、光軸７上でエアーが衝突する。その後、カメラハウジング１前面部方向と後面部方向に進む流れとが形成される。ここで、カメラハウジング１前面部方向に進む流れは、開口部２を有する面に直交する流れとなり、開口部２からからカメラハウジング１の外側へ吐出されエアー３ｂが形成される。一方で、カメラハウジング１後面部に進む流れは、カメラレンズ４のレンズ面に衝突することで、再びカメラハウジング１前面部方向に進む流れとなる。これにより、効率よく吐出エアー３ｂが形成されるとともに、開口部２の開口の中心および端部いずれにおいても開口部２から外側へ向かう流れが形成され、カメラハウジング１の外部の粉塵、浮遊毛羽、ミストが開口部２からカメラハウジング１内部へ流入しカメラレンズ５へ付着するのを防ぎ、継続して使用しても鮮明な映像を確保することが可能となる。
【００３９】
粉塵などが飛散している屋外での監視や、ミストなどが飛散している工場での記録などに用いられるカメラ装置は、厳しい環境下でも常に鮮明な画像を映すことが必要である。そのような環境下、従来は短時間の使用のみに限られたり、設置場所が制限されたり、カメラ装置の定期的な清掃が必要であった。しかしながら、本発明のカメラハウジング付きカメラ装置を用いることによって、粉塵や浮遊毛羽、ミスト飛散下においても常に鮮明な画像を確保することが可能となる。これによって、監視目的のカメラ装置であれば、従来は設置できなかったようなさらに厳しい環境下にカメラ装置を設置することができるようになる。また、工場での記録用カメラ装置に関しては、定期的なメンテナンスが不要になることから、絶え間なく生産される製品を抜けなく、常に鮮明な画像として記録、検査することができるようになる。
【実施例】
【００４０】
本発明のカメラハウジングに関し、開口部における吐出エアーの速度分布を解析し、その有効性を確認したのでその一例を以下の実施例１から３に示す。解析には市販の汎用流体解析ソフト（株式会社シー・ディー・アダプコの“ＳＴＡＲ−ＣＣＭ＋”）を用いた。
【００４１】
下記に示すカメラハウジングと、カメラハウジング内部にカメラ、カメラレンズを備えた解析モデルを作成した。解析モデル上で開口部を微小要素に分割し、それぞれ微小要素で物理方程式を解くことで、流体の流れ場を解析した。ここで「微小要素」とは、メッシュ、セル、計算格子等で呼ばれるもので、３次元であれば４面体や６面体等のことをいう。また「流体」とは気体のことで、圧力一定の空気とした。吐出流速は光軸に沿った方向（ｚ方向）に進む速度成分での評価を行った。
【００４２】
［実施例１］
図１に示すように、本発明の第１の実施形態に関して、カメラハウジング前面部の内接円の径に対し、前記開口部の内接円の径が０．９倍以上であり、前記開口部の面積に対し、前記カメラハウジング壁面に設けられたエアー吐出口の面積が０．１倍以上であるカメラハウジングの、開口部における吐出エアーの速度分布を解析したので一例を示す。Ｄ／Ｌ：０．５０〜０．８３、Ｓｉｎ／Ｓｏｕｔ：０．１０２〜０．２８４の範囲で、開口部およびエアー吐出口の寸法を変えた（１−ａ）、（１−ｂ）、（１−ｃ）の３条件の解析を行った。
【００４３】
【表１】
2016114635.tif 000003
【００４４】
表１は、解析を行った本発明のカメラハウジング、開口部およびエアー吐出口の概略をまとめた表である。また、図６に（１−ａ）、（１−ｂ）、（１−ｃ）それぞれの概略断面図を示す。
【００４５】
【表２】
2016114635.tif 000004
【００４６】
表２は、解析条件を詳細にまとめた表である。
【００４７】
【表３】
2016114635.tif 000005
【００４８】
表３に解析結果を示す。なお、開口部における吐出速度は、光軸に沿って＋ｚ方向が正の値、−ｚ方向が負の値であり、正の値であればカメラハウジング内部から外へ吐出するエアーであり、負の値であれば、カメラハウジング内部へ流入するエアーであることを意味する。表３に示す通り、いずれの結果についても、カメラハウジング内部に流入するエアーの発生は無く、また、カメラ壁面に衝突するエアーの速度は１０ｍ／ｓ以下であり、カメラの振動はないことがわかった。
【００４９】
［実施例２］
図３に示すように、本発明の第２の実施形態に関して、カメラハウジングの側面部に側面全周にわたるエアー吐出口を設けた形態のカメラハウジングについて、開口部における吐出エアーの速度分布を解析した。エアー吐出口の形状、位置以外については、実施例１の（１−ａ）と同じである。
【００５０】
【表４】
2016114635.tif 000006
【００５１】
表４は、解析を行った本発明のカメラハウジング、開口部、エアー吐出口の概略をまとめた表である。
【００５２】
【表５】
2016114635.tif 000007
【００５３】
表５は、解析条件を詳細にまとめた表である。
【００５４】
【表６】
2016114635.tif 000008
【００５５】
表６に解析結果を示す。表６に示す通り、カメラハウジング内部に流入するエアーの発生は無く、また、カメラ壁面に衝突するエアーの速度は１０ｍ／ｓ以下であり、カメラの振動がないことがわかった。さらに、実施例１の（１−ａ）に比べて、吐出速度の最大値および吐出速度の最小値が大きくなっており、より速い吐出エアーが形成できていることがわかった。
【００５６】
［実施例３］
図５に示すように、本発明の第３の実施形態に関して、カメラハウジングの側面部であってカメラレンズのレンズ面よりも開口部側に、側面全周にわたるエアー吐出口を設けた形態のカメラハウジングについて、開口部における吐出エアーの速度分布を解析した。エアー吐出口の位置以外については、実施例２と同じである。
【００５７】
【表７】
2016114635.tif 000009
【００５８】
表７は、解析条件を詳細にまとめた表である。
【００５９】
【表８】
2016114635.tif 000010
【００６０】
表８に解析結果を示す。表８に示す通り、カメラハウジング内部に流入するエアーの発生は無く、また、カメラ壁面に衝突するエアーの速度は１０ｍ／ｓ以下であり、カメラの振動がないことがわかった。
【００６１】
［比較例］
比較例として、「カメラハウジング前面部の内接円の径に対し、開口部の内接円の径が０．９倍以下であり、開口部の面積に対し、カメラハウジング壁面に設けられたエアー吐出口の面積が０．１倍以上」を満たさないカメラハウジングの、開口部における吐出エアーの速度分布を解析したので一例を示す。
【００６２】
【表９】
2016114635.tif 000011
【００６３】
表７は、解析を行ったカメラハウジングの解析条件を詳細にまとめた表である。
【００６４】
【表１０】
2016114635.tif 000012
【００６５】
表１０に解析結果を示す。この結果、（Ａ）（Ｃ）（Ｅ）に示すように、カメラハウジング前面部の内接円の径に対し、開口部の内接円の径が０．９を超えるカメラハウジングでは、カメラハウジング内部に流入する流れが生じることがわかった。また、（Ｂ）（Ｄ）に示すように、開口部の面積に対し、エアー吐出口の面積が０．１未満となるカメラハウジングでは、カメラ後部に約４０ｍ／ｓで衝突するエアーが発生するため、カメラの振動が生じることがわかった。
【００６６】
【表１１】
2016114635.tif 000013
【００６７】
表１１に、実施例１〜３および比較例をまとめた結果を示す。性能の高い順にＡ、Ｂ、Ｃ、Ｄの４段階評価した結果を表に示す。ここで、吐出速度の最小値、吐出速度の標準偏差、吐出速度の最大値をそれぞれ順位付けし、開口部からミストの流入が発生するもしくはカメラ装置が振動するといった性能を満たさないものをＤとした。また、実施例１については、同じ条件での比較をするため、開口部の内接円の径と、エアー吐出口の面積が、実施例２および実施例３とほぼ同じ（１−ａ）との比較を行った。
【００６８】
この結果から、吐出エアーによるカメラ装置の振動が発生することなく、長期使用においても、オイルミストがカメラレンズ表面に付着することなく、カメラ装置設置直後と変らず鮮明な画像を確保できることが確認された。
【００６９】
実施例１（１−ａ）の開口部における速度分布を図７に、実施例３の開口部における速度分布を図８に、実施例３の開口部における速度分布を図９に示す。いずれも開口部における流速を画像の濃淡で示し、白いほど流速が大きいことを表している。また、解析時間を短縮するために、円形な開口部の片側半分のみを解析した結果であり、開口部の直径を成す境界は対称境界である。実施例１（１−ａ）および実施例３のいずれの結果でも、すべて正の流速分布になっていることがわかった。さらに、実施例１（１−ａ）に比べて、実施例３ではより均一な流速分布になっていることがわかった。比較例（Ｅ）に示す速度分布では、開口部の円周に沿った一部で負の流速が生じており 、カメラハウジング内部に流入する流れが存在することがわかった。
【産業上の利用可能性】
【００７０】
本発明は、粉塵、浮遊毛羽、ミストの付着防止に応用することができるが、その応用範囲が、これらに限られるものではない。
【符号の説明】
【００７１】
１  カメラハウジング
２  開口部
３  エアー吐出口
３ａ  吐出口におけるエアー
３ｂ  開口部におけるエアー
４  カメラ
５  カメラレンズ
６  焦点
７  光軸
８  画角
９  固定冶具
１０  ケーブル
１１  座標系
１２  カメラハウジング前面部の内接円
１３  カメラハウジング前面部の内接円の径
１４  開口部の内接円の径
１５  画角の成す領域
【図１】
2016114635.tif 000014
【図２】
2016114635.tif 000015
【図３】
2016114635.tif 000016
【図４】
2016114635.tif 000017
【図５】
2016114635.tif 000018
【図６】
2016114635.tif 000019
【図７】
2016114635.tif 000020
【図８】
2016114635.tif 000021
【図９】
2016114635.tif 000022